(57)【特許請求の範囲】
【請求項１】
廃棄物ホッパの下端を炉体の装入口にシュートを介して接続し、且つ上記廃棄物ホッパよりシュート内に落下供給された廃棄物を、押込プッシャを押し出して上記炉体内に装入させるようにしてある焼却炉における上記シュートの途中位置に、該シュートの上面に設けた切欠部から内側面に一連に延びるガイド溝を形成して、該シュートの切欠部から挿入されてガイド溝に沿わされる大きさとしてシュート内のガイド溝にガイドされて上下方向へスライドできるようにした遮蔽扉と、上記シュートの上面に設置されて上記遮蔽扉を引き上げたときに覆うようにすると共に遮蔽扉の上下動をガイドするようにしてあるダンパケーシングと、該ダンパケーシングの外側に上記シュートを跨ぐように設置した支持架構と、該支持架構の天井部に下向きに設置し且つピストンロッドの下端部を上記遮蔽扉に連結して遮蔽扉を昇降させるようにするアクチュエータとからなるギロチンダンパを設置し、上記押込プッシャの先端が上記遮蔽扉の下方を通過して後退した後、速やかに遮蔽扉をシュート内に下降して該シュートを閉塞させるようにした構成を有することを特徴とする焼却炉の逆火防止装置。
【請求項２】
廃棄物ホッパの下端を炉体の装入口にシュートを介して接続し、且つ上記廃棄物ホッパよりシュート内に落下供給された廃棄物を、押込プッシャを押し出して上記炉体内に装入させるようにしてある焼却炉における上記シュートの途中位置に、該シュートの上面に設けた切欠部から内側面に一連に延びるガイド溝を形成して、該シュートの切欠部から挿入されてガイド溝に沿わされる大きさとしてシュート内のガイド溝にガイドされて上下方向へスライドできるようにした遮蔽扉と、上記シュートの上面に設置されて上記遮蔽扉を引き上げたときに覆うようにすると共に遮蔽扉の上下動をガイドするようにしてあるダンパケーシングと、該ダンパケーシングの外側に上記シュートを跨ぐように設置した支持架構と、該支持架構の天井部に下向きに設置し且つピストンロッドの下端部を上記遮蔽扉に連結して遮蔽扉を昇降させるようにするアクチュエータとからなるギロチンダンパを設置し、更に、上記ギロチンダンパの遮蔽扉を、内部に冷却水を通水させる水冷式とし、上記押込プッシャの先端が上記遮蔽扉の下方を通過して後退した後、速やかに遮蔽扉をシュート内に下降して該シュートを閉塞させるようにした構成を有することを特徴とする焼却炉の逆火防止装置。
【請求項３】
廃棄物ホッパの下端を炉体の装入口にシュートを介して接続し、且つ上記廃棄物ホッパよりシュート内に落下供給された廃棄物を、押込プッシャを押し出して上記炉体内に装入させるようにしてある焼却炉における上記シュートの途中位置に、該シュートの上面に設けた切欠部から内側面に一連に延びるガイド溝を形成して、該シュートの切欠部から挿入されてガイド溝に沿わされる大きさとしてシュート内のガイド溝にガイドされて上下方向へスライドできるようにした遮蔽扉と、上記シュートの上面に設置されて上記遮蔽扉を引き上げたときに覆うようにすると共に遮蔽扉の上下動をガイドするようにしてあるダンパケーシングと、該ダンパケーシングの外側に上記シュートを跨ぐように設置した支持架構と、該支持架構の天井部に下向きに設置し且つピストンロッドの下端部を上記遮蔽扉に連結して遮蔽扉を昇降させるようにするアクチュエータとからなるギロチンダンパを設置し、且つ上記押込プッシャの押し引き動作と、上記アクチュエータの伸縮作動による遮蔽扉の上昇及び下降動作を所定のタイミングで制御させるようにする制御装置を備え、上記押込プッシャの先端が上記遮蔽扉の下方を通過して後退した後、速やかに遮蔽扉をシュート内に下降して該シュートを閉塞させるようにした構成を有することを特徴とする焼却炉の逆火防止装置。
【請求項４】
廃棄物ホッパの下端を炉体の装入口にシュートを介して接続し、且つ上記廃棄物ホッパよりシュート内に落下供給された廃棄物を、押込プッシャを押し出して上記炉体内に装入させるようにしてある焼却炉における上記シュートの途中位置に、該シュートの上面に設けた切欠部から内側面に一連に延びるガイド溝を形成して、該シュートの切欠部から挿入されてガイド溝に沿わされる大きさとしてシュート内のガイド溝にガイドされて上下方向へスライドできるようにした遮蔽扉と、上記シュートの上面に設置されて上記遮蔽扉を引き上げたときに覆うようにすると共に遮蔽扉の上下動をガイドするようにしてあるダンパケーシングと、該ダンパケーシングの外側に上記シュートを跨ぐように設置した支持架構と、該支持架構の天井部に下向きに設置し且つピストンロッドの下端部を上記遮蔽扉に連結して遮蔽扉を昇降させるようにするアクチュエータとからなるギロチンダンパを設置し、且つ上記ギロチンダンパの遮蔽扉を、内部に冷却水を通水させる水冷式とし、更に、上記押込プッシャの押し引き動作と、上記アクチュエータの伸縮作動による遮蔽扉の上昇及び下降動作を所定のタイミングで制御させるようにする制御装置を備え、上記押込プッシャの先端が上記遮蔽扉の下方を通過して後退した後、速やかに遮蔽扉をシュート内に下降して該シュートを閉塞させるようにした構成を有することを特徴とする焼却炉の逆火防止装置。
【発明の詳細な説明】
【０００１】
【発明の属する技術分野】
本発明は産業廃棄物等の廃棄物を焼却炉にて焼却処理する際、炉体より廃棄物ホッパに向けて逆火が発生することを防止するための焼却炉の逆火防止装置に関するものである。
【０００２】
【従来の技術】
産業廃棄物の如き廃棄物を焼却処理するための焼却炉の一つとして、回転ストーカ式焼却炉が知られており、該回転ストーカ式焼却炉は、図３（イ）（ロ）（ハ）にその一例の概略を示す如く、リング状に形成した入口側ヘッダー管２と出口側ヘッダー管３との間に多数の水管４を周方向に一定間隔で配置してそれぞれ連通接続すると共に、該各水管４間の隙間に、長手方向所要間隔位置に多数の空気孔５を穿設したフィン６を取り付けて主燃焼装置となる円筒状の回転ストーカ本体１を構成し、該回転ストーカ本体１をカバーケーシング７内に収納して、入り口側ヘッダー管２よりも出口側ヘッダー管３の方が低くなるように傾斜させて横置きし、駆動装置８により回転駆動できるようにし、各水管４内に、出口側ヘッダー管３に接続したロータリージョイント９を介してボイラ水を循環流通させるようにし、又、上記カバーケーシング７の一端部に形成した装入口１０に、廃棄物ホッパ１１の下端に連設してあるシュート１２の出口端部を接続し、且つ該シュート１２内の後方位置に、アクチュエータ１４により前後方向に押し引き駆動される押込プッシャ１３を配置してあって、押込プッシャ１３の後退（引き）作動時に廃棄物ホッパ１１からシュート１２内に落下供給される廃棄物１５を、押込プッシャ１３の前進（押し）作動によりシュート１２内部から回転ストーカ本体１内へ装入することができるようにしてあり、又、上記回転ストーカ本体１の下側に連設した風箱１６から空気孔５を通して回転ストーカ本体１内に燃焼用空気１７を下方より吹き込み供給することにより、廃棄物１５を燃焼させるようにしてある。
【０００３】
又、上記廃棄物１５の燃焼により発生する未燃ガスは、回転ストーカ本体１の出口側の上部位置に設けたオーバーコンダスタエア（ＯＣＡ）供給器１８から供給された燃焼用空気１７と共に二次燃焼室１９に送られ、該二次燃焼室１９に接続した空気ノズル２０より供給される燃焼用空気１７により完全燃焼させられるようにしてある。
【０００４】
ところで、上記回転ストーカ式焼却炉による廃棄物１５の焼却処理を行う際、押込プッシャ１３の引き作動時には、シュート１２内の廃棄物１５が回転ストーカ本体１内に押し出され、シュート１２内部はほぼ空になっていることから、高温度で廃棄物１５の燃焼が行われている回転ストーカ本体１内部から装入口１０、シュート１２を通して廃棄物ホッパ１１に向けて逆火が発生する虞があり、上気逆火が発生した場合には、廃棄物ホッパ１１内の廃棄物１５に含まれるプラスチック等が燃えてホッパ火災が発生する虞があることから、上記従来の回転ストーカ式焼却炉では、廃棄物ホッパ１５の下端部に、消火設備としての蒸気噴射管２１を接続して、廃棄物ホッパ１５に設置した図示しない温度計により該廃棄物ホッパ１５内の温度が高温（たとえば２６０℃）になると自動的に蒸気噴射管２１から蒸気をホッパ１５の下端部からシュート１２内へ噴射させ、シュート１２内のＯ２パージを行うことにより逆火によるホッパ火災を防ぐようにしていた。
【０００５】
なお、２２は焼却灰の後燃焼装置である。
【０００６】
【発明が解決しようとする課題】
ところが、シュート１２内に蒸気を噴射する方式の上記消火設備は、逆火が発生しそうになってから対処するものであると共に、蒸気噴射時の騒音が大となるという問題がある。
【０００７】
そこで、本発明者は焼却炉から廃棄物ホッパ１５内へ逆火を発生させないようにするための工夫、研究を重ねた結果、廃棄物ホッパ下流側のシュートを途中位置で閉塞させることにより焼却炉からの逆火を遮断できるようにすることを見出し、本発明をなした。
【０００８】
したがって、本発明の目的とするところは、より確実に焼却炉からの逆火を防止することのできる焼却炉の逆火防止装置を提供しようとするものである。
【０００９】
【課題を解決するための手段】
本発明は、上記課題を解決するために、廃棄物ホッパの下端を炉体の装入口にシュートを介して接続し、且つ上記廃棄物ホッパよりシュート内に落下供給された廃棄物を、押込プッシャを押し出して上記炉体内に装入させるようにしてある焼却炉における上記シュートの途中位置に、該シュートの上面に設けた切欠部から内側面に一連に延びるガイド溝を形成して、該シュートの切欠部から挿入されてガイド溝に沿わされる大きさとしてシュート内のガイド溝にガイドされて上下方向へスライドできるようにした遮蔽扉と、上記シュートの上面に設置されて上記遮蔽扉を引き上げたときに覆うようにすると共に遮蔽扉の上下動をガイドするようにしてあるダンパケーシングと、該ダンパケーシングの外側に上記シュートを跨ぐように設置した支持架構と、該支持架構の天井部に下向きに設置し且つピストンロッドの下端部を上記遮蔽扉に連結して遮蔽扉を昇降させるようにするアクチュエータとからなるギロチンダンパを設置し、上記押込プッシャの先端が上記遮蔽扉の下方を通過して後退した後、速やかに遮蔽扉をシュート内に下降して該シュートを閉塞させるようにした構成とする。
【００１０】
押込プッシャの押し作動により廃棄物がシュート内から炉体内へ装入された後、上記押込プッシャを後退させると、上記シュート内はほぼ空の状態となるが、押込プッシャの先端が遮蔽扉の下方を通過して後退した後、速やかに上記ギロチンダンパの遮蔽扉がシュート内に降ろされ、該シュートが上記遮蔽扉により閉塞させられることから、炉体から廃棄物ホッパに向かう逆火は上記遮蔽扉により遮断されるようになる。
【００１１】
又、前記構成としてあるギロチンダンパの遮蔽扉を、内部に冷却水を通水させる水冷式とした構成とすると、ギロチンダンパの遮蔽扉の焼損を防止することができる。
【００１２】
更に、前記した構成に、押込プッシャの押し引き動作と、上記アクチュエータの伸縮作動による遮蔽扉の上昇及び下降動作を所定のタイミングで制御させるようにする制御装置を備え、上記押込プッシャが後退してから遮蔽扉を下降してシュートを閉塞させるようにした構成とすると、廃棄物ホッパからシュート内に廃棄物が落下供給される前に遮蔽扉を下降させることができ、これにより、遮蔽扉の下方に異物が噛み込みんでシュートの閉塞状態が不完全なものとなる虞をなくすことができる。
【００１３】
【発明の実施の形態】
以下、本発明の実施の形態を図面を参照して説明する。
【００１４】
図１（イ）（ロ）は本発明の焼却炉の逆火防止装置の実施の一形態を示すもので、図３（イ）（ロ）（ハ）に示したものと同様に、炉体を形成するカバーケーシング７の装入口１０に、廃棄物ホッパ１１の下端に接続したシュート１２の出口端部を接続し、且つ該シュート１２の後方位置に、押込プッシャ１３を設置して、上記廃棄物ホッパ１１よりシュート１２内に落下供給された廃棄物を、上記押込プッシャ１３の前進動作により上記シュート１２内より回転ストーカ本体１内に装入するようにしてある回転ストーカ式焼却炉において、上記シュート１２の中間部となる途中位置に、上記シュート１２を閉塞・開放自在とさせるためのギロチンダンパ２３を開閉自在に設ける。
【００１５】
上記ギロチンダンパ２３は、シュート１２の上面を切欠いて該上面の切欠部１２ａから内側面に一連に延びるガイド溝１２ｂを形成し、該切欠部１２ａから挿入されてガイド溝１２ｂに沿わされる大きさとした遮蔽扉２４を、シュート１２の上方より上記切欠部１２ａを通しガイド溝１２ｂに沿い上下方向にスライド自在に挿入して配置し、又、上記遮蔽扉２４を引上げたときに覆うようにすると共に遮蔽扉２４を上下動をガイドするようにしてある遮蔽扉２４収納用ダンパケーシング２５を、シュート１２の上面に設置し、更に、上記ダンパケーシング２５を設置した位置の外側にシュート１２を跨ぐように支持架構２６を設置して、該支持架構２６の天井部に、アクチュエータとしてのダンパシリンダ２７を下向きに取り付けると共に、該ダンパシリンダ２７のピストンロッド２８の下端部を上記遮蔽扉２４の上端部に連結し、ダンパシリンダ２７を伸長作動させて遮蔽扉２４を下降させることにより、該遮蔽扉２４をダンパケーシング２５内からシュート１２内に挿し込んで、該シュート１２を閉塞させるようにしたり、又、上記ダンパシリンダ２７を収縮作動させて遮蔽扉２４を上昇させることにより、図１（イ）（ロ）に二点鎖線で示す如く、遮蔽扉２４をダンパケーシング２５内に引き上げてシュート１２を開放（連通）させるようにすることができるようにしてある。
【００１６】
又、上記ギロチンダンパ２３の遮蔽扉２４は、内部を中空にするか、又は内部に冷却水流路を形成して、上端の両端部に、冷却水供給管２９及び冷却水排出管３０をそれぞれ接続して、図示しない冷却水供給装置から上記冷却水供給管２９を通して導いた冷却水３１を、遮蔽扉２４の内部に通水させることができるようにしてある。なお、上記冷却水供給管２９及び冷却水排出管３０はいずれもフレキシブルなものとしてあって、遮蔽扉２４の上昇、下降移動に追従することができるようにしてある。又、上記冷却水３１としては回転ストーカ式焼却炉の他の機器を冷却するために従来より用いている機器冷却水を利用するようにすればよい。
【００１７】
更に、シュート１２の押込プッシャ１３側端部に、従来と同様の蒸気噴射管２１を設置し、該蒸気噴射管２１は、廃棄物ホッパ１１に設置した図示しない温度計により該廃棄物ホッパ１１の温度が高温になる時にのみ作動させられるようにし、又、廃棄物ホッパ１１の上部には、散水装置３２を設置して該廃棄物ホッパ１１に必要に応じて散水することができるようにする。
【００１８】
なお、押込プッシャ１３のアクチュエータ１４の両端部には、ピストンがストロークエンドに達したことを検知するリミットスイッチの如きセンサー３３及び３４を設け、又、ダンパシリンダ２７の収縮側のストロークエンド部には、リミットスイッチの如きセンサー３５を設けて、該各センサー３３、３４及び３５による検出信号に基づいて、押込プッシャ１３の押し引き動作と、ダンパシリンダの伸縮作動による遮蔽扉２４の上昇及び下降動作を所定のタイミングで行わせるための指令を与えて制御させるようにする制御装置（図示せず）を備える。その他、図３（イ）（ロ）（ハ）に示したものと同一のものには同一符号が付してある。
【００１９】
回転ストーカ式焼却炉による廃棄物１５の焼却処理を行う際、今、図２（イ）に示す如く、押込プッシャ１３が後退してアクチュエータ１４が後退側のストロークエンドにあり、且つギロチンダンパ２３のダンパシリンダ２７が伸長して遮蔽扉２４が押し下げられてシュート１２が閉塞されている状態において、回転ストーカ本体１へ廃棄物１５の装入を行うには、先ず、制御装置によりダンパシリンダ２７に収縮指令を与えて該ダンパシリンダ２７を収縮作動させ、図２（イ）に二点鎖線で示す如く遮蔽扉２４を上昇させてシュート１２内からダンパケーシング２５内へ引き上げるようにする。この際、ダンパシリンダ２７が収縮側のストロークエンドに達し、遮蔽扉２４の引き上げが完全に行われてシュート１２が開放されるようになると、センサー３５から信号が発せられる。
【００２０】
次に、上記センサー３５からの信号に基づき、制御装置により押込プッシャ１３のアクチュエータ１４に前進指令が与えられ、図２（ロ）に示す如く、アクチュエータ１４により押込プッシャ１３の押し作動が開始されて、該押込プッシャ１３がシュート１２内に図２（ロ）に二点鎖線で示す如く押し出される。これにより先の押込プッシャ１３の引き作動時に廃棄物ホッパ１１よりシュート１２内に落下供給されていた廃棄物１５が、シュート１２内より装入口１０を通して回転ストーカ本体１内に装入されるようになる。
【００２１】
次いで、押込プッシャ１３が押し出されてアクチュエータ１４が前進側のストロークエンドに達すると、図２（ハ）に示す如く、センサー３３からの信号によりアクチュエータ１４への作動流体の流路が切り換えられて押込プッシャ１３の引き作動が行われる。この際、上記センサー３３から信号が発せられてから、所定時間経過後、制御装置によりダンパシリンダ２７に伸長指令を与えて該ダンパシリンダ２７を伸長作動させるようにする。これにより、図２（ハ）に二点鎖線で示す如く、押込プッシャ１３の先端が遮蔽扉２４の下方を通過して後退した後、速やかに遮蔽扉２４がシュート１２内に下降させられて、該シュート１２が閉塞されるようになる。
【００２２】
更に、図２（ニ）に示す如く、押込プッシャ１３が後退してアクチュエータ１４が引き側のストロークエンド付近に達すると、廃棄物ホッパ１１からシュート１２内に廃棄物１５が落下供給されるようになり、その後、押込プッシャ１３が後退し終えてアクチュエータ１４が後退側のストロークエンドに達すると、図２（イ）に示したと同様の初期状態となり、センサー３４により信号が発せられることになり、上記センサー３４からの信号に基づいてダンパシリンダ２７の収縮作動を開始させて、以後、上記図２（イ）（ロ）（ハ）（ニ）に示した手順を繰り返させるようにすることで、回転ストーカ本体１内に廃棄物１５を連続的に供給し、焼却処理することができるようになる。
【００２３】
このように、押込プッシャ１３を後退させてシュート１２内部がほぼ空となる状態のときには、遮蔽扉２４を下降させてシュート１２を閉塞させることができるので、該シュート１２を通して廃棄物ホッパ１１に向く逆火を遮断することができ、従来に比してより確実に逆火の発生を防止することができる。
【００２４】
又、万一、シュート１２を通して逆火が発生しそうになり、廃棄物ホッパ１１の温度が上昇した場合には、蒸気噴射管２１から蒸気を噴射させてシュート１２内をＯ２パージすると共に、散水装置３２から廃棄物ホッパ１１に散水し、該廃棄物ホッパ１１の温度を下げることにより、ホッパ火災の発生する虞をほぼ完全に抑制することができる。
【００２５】
本発明においては、ギロチンダンパ２３の遮蔽扉２４は、押込プッシャ１３が後退時に下方を通過した後、速やかに下降させるようにしてあることから、廃棄物ホッパ１１からシュート１２内に廃棄物１５が落下供給される前に下降させることができ、これにより、遮蔽扉２４の下方に異物が噛み込みんでシュート１２の閉塞状態が不完全になる虞をなくすことができる。
【００２６】
又、上記遮蔽扉２４は、内部に冷却水３１を通水させた水冷式としてあるので、該遮蔽扉２４の焼損を防止することができる。
【００２７】
なお、本発明は上記実施の形態のみに限定されるものではなく、ギロチンダンパ２３の遮蔽扉２４の上昇、下降の駆動をダンパシリンダ２７の伸縮作動により行うものとして示したが、他の駆動装置により昇降させるようにしてもよいこと、逆火防止装置を回転ストーカ式焼却炉以外の形式の焼却炉に適用するようにしてもよいこと、その他、本発明の要旨を逸脱しない範囲内において種々変更を加え得ることは勿論である。
【００２８】
【発明の効果】
以上述べた如く、本発明の焼却炉の逆火防止装置によれば、廃棄物ホッパの下端を炉体の装入口にシュートを介して接続し、且つ上記廃棄物ホッパよりシュート内に落下供給された廃棄物を、押込プッシャを押し出して上記炉体内に装入させるようにしてある焼却炉における上記シュートの途中位置に、該シュートの上面に設けた切欠部から内側面に一連に延びるガイド溝を形成して、該シュートの切欠部から挿入されてガイド溝に沿わされる大きさとしてシュート内のガイド溝にガイドされて上下方向へスライドできるようにした遮蔽扉と、上記シュートの上面に設置されて上記遮蔽扉を引き上げたときに覆うようにすると共に遮蔽扉の上下動をガイドするようにしてあるダンパケーシングと、該ダンパケーシングの外側に上記シュートを跨ぐように設置した支持架構と、該支持架構の天井部に下向きに設置し且つピストンロッドの下端部を上記遮蔽扉に連結して遮蔽扉を昇降させるようにするアクチュエータとからなるギロチンダンパを設置し、上記押込プッシャの先端が上記遮蔽扉の下方を通過して後退した後、速やかに遮蔽扉をシュート内に下降して該シュートを閉塞させるようにした構成としてあるので、押込プッシャの引き作動時、すなわち、廃棄物が押出されてしまいシュート内部がほぼ空となる際には、押込プッシャの先端が遮蔽扉の下方を通過して後退した後、速やかに遮蔽扉を下降させてシュートを閉塞させることができて、該シュートを通して炉体から廃棄物ホッパに向く逆火を遮断することができ、従来に比してより確実に逆火の発生を防止することができる、等の優れた効果を発揮する。又、ギロチンダンパの遮蔽扉を、内部に冷却水を通水させる水冷式とした構成とすると、ギロチンダンパの遮蔽扉の焼損を防止することができ、更に、押込プッシャの押し引き動作と、上記アクチュエータの伸縮作動による遮蔽扉の上昇及び下降動作を所定のタイミングで制御させるようにする制御装置を備え、上記押込プッシャが後退してから遮蔽扉を下降してシュートを閉塞させるようにした構成とすると、廃棄物ホッパからシュート内に廃棄物が落下供給される前に遮蔽扉を下降させることができ、これにより、遮蔽扉の下方に異物が噛み込んでシュートの閉塞状態が不完全になる虞をなくすことができるという優れた効果を発揮する。
【図面の簡単な説明】
【図１】本発明の焼却炉の逆火防止装置の実施の一形態を示すもので、（イ）は切断概略側面図、（ロ）はギロチンダンパの一部切断正面図である。
【図２】図１に示した装置の作動状態を示すもので、（イ）は初期状態を、（ロ）は押込プッシャの押し作動を開始させた状態を、（ハ）は押込プッシャの引き作動を開始させた状態を、（ニ）は押込プッシャの引き作動をほぼ終了させた状態をそれぞれ示す、切断概略側面図である。
【図３】従来の回転ストーカ式焼却炉の一例の概略を示すもので、（イ）は切断側面図、（ロ）は（イ）のＡ−Ａ矢視図、（ハ）は（ロ）のＢ部の拡大図である。
【符号の説明】
１  回転ストーカ本体
７  カバーケーシング
１０  装入口
１１  廃棄物ホッパ
１２  シュート
１３  押込プッシャ
１５  廃棄物
２３  ギロチンダンパ
２４  遮蔽扉
２５  ダンパケーシング
２６  支持架構
２７  ダンパシリンダ（アクチュエータ）
【図１】
0004120104.tif 000002
【図２】
0004120104.tif 000003
【図３】
0004120104.tif 000004